(57)【要約】【課題】合体させた容器本体同士が分離しにくい包装用容器を提供する。【解決手段】上面開口の第一容器本体１と、該第一容器本体１に上側から装着される上面開口の第二容器本体３と、該第二容器本体３に装着される蓋体５とを備え、第一容器本体１は、下側に向けて拡開する逆テーパ状の第一本体嵌合部１４を側壁部に備え、第二容器本体３は、下側に向けて拡開する逆テーパ状の第二本体嵌合部３４を側壁部に備え、蓋体５は、下側に向けて拡開する逆テーパ状の蓋嵌合部５４を備えており、第二本体嵌合部３４の外側に第一本体嵌合部１４が嵌合し、第二本体嵌合部３４の内側に蓋嵌合部５４が嵌合する。【選択図】図１
2017165422.tif 000002
【特許請求の範囲】
【請求項１】
上面開口の第一容器本体と、該第一容器本体に上側から装着される上面開口の第二容器本体と、該第二容器本体に装着される蓋体とを備え、
第一容器本体は、下側に向けて拡開する逆テーパ状の第一本体嵌合部を側壁部に備え、第二容器本体は、下側に向けて拡開する逆テーパ状の第二本体嵌合部を側壁部に備え、蓋体は、下側に向けて拡開する逆テーパ状の蓋嵌合部を備えており、
第一容器本体と第二容器本体と蓋体とが合体した状態において、第二本体嵌合部の外側に第一本体嵌合部が嵌合し、第二本体嵌合部の内側に蓋嵌合部が嵌合することを特徴とする包装用容器。
【請求項２】
蓋体には、電子レンジで加熱した際に第二容器本体内で発生する蒸気を外部に逃がすための蒸気排出口が設けられ、第二容器本体には、該第二容器本体の底面部よりも高い位置に、電子レンジで加熱した際に第一容器本体内で発生する蒸気を第二容器本体内に逃がすための連通口が設けられている請求項１記載の包装用容器。
【請求項３】
第一容器本体は、耐熱性の発泡素材から構成されている請求項１又は２記載の包装用容器。
【発明の詳細な説明】
【技術分野】
【０００１】
本発明は、複数の内容物を上下に分離して収容できる包装用容器に関する。
【背景技術】
【０００２】
例えば、下記特許文献１には、深皿状の容器本体と、該容器本体に着脱可能に被せられる浅皿と、該浅皿に着脱可能に被せられる蓋とを備え、その全体がラップで包まれた容器が記載されている。しかしながら、この容器では、浅皿のフランジ部のスカート部が容器本体のフランジ部の外側に被さる、いわゆる外嵌合の構造となっているため、その嵌合が不意に外れるおそれがあり、容器本体と浅皿とが分離しやすい。そのため、全体をラップで覆うことが必須となっていた。
【先行技術文献】
【特許文献】
【０００３】
【特許文献１】特開２００５−１６２２８９号公報
【発明の概要】
【発明が解決しようとする課題】
【０００４】
それゆえに本発明は上記従来の問題点に鑑みてなされ、合体させた容器本体同士が分離しにくい包装用容器を提供することを課題とする。
【課題を解決するための手段】
【０００５】
本発明は、上記課題を解決すべくなされたものであって、本発明に係る包装用容器は、上面開口の第一容器本体と、該第一容器本体に上側から装着される上面開口の第二容器本体と、該第二容器本体に装着される蓋体とを備え、第一容器本体は、下側に向けて拡開する逆テーパ状の第一本体嵌合部を側壁部に備え、第二容器本体は、下側に向けて拡開する逆テーパ状の第二本体嵌合部を側壁部に備え、蓋体は、下側に向けて拡開する逆テーパ状の蓋嵌合部を備えており、第一容器本体と第二容器本体と蓋体とが合体した状態において、第二本体嵌合部の外側に第一本体嵌合部が嵌合し、第二本体嵌合部の内側に蓋嵌合部が嵌合することを特徴とする。
【０００６】
該構成の包装用容器にあっては、第一容器本体と第二容器本体とを備えているので、例えば、第一容器本体と第二容器本体にそれぞれ異なる種類の食品を収容することができる。即ち、異なる種類の食品を互いに分離した状態で収容することができる。従って、異なる種類の食品同士の接触が防止されて、例えば一方の食品から他方の食品への色移りを防止することができ、食品の良好な見栄えを長時間維持できる。
【０００７】
また、第二容器本体に蓋体を装着すると、第二容器本体の第二本体嵌合部の内面に蓋体の蓋嵌合部の外面が嵌合する。即ち、第二本体嵌合部に蓋嵌合部がいわゆる内嵌合した状態となる。蓋体は第二容器本体に内嵌合するので、第二容器本体と蓋体との間で強固な嵌合状態が確保される。また、第一容器本体に第二容器本体を装着すると、第一容器本体の第一本体嵌合部の内面に第二容器本体の第二本体嵌合部の外面が嵌合する。即ち、第一本体嵌合部に第二本体嵌合部がいわゆる内嵌合した状態となる。第二容器本体は第一容器本体に内嵌合するので、強固な嵌合状態が得られる。
【０００８】
このように第一容器本体に第二容器本体が装着され、第二容器本体に蓋体が装着された状態においては、第二容器本体の第二本体嵌合部の内側に蓋体の蓋嵌合部が嵌合することで、蓋嵌合部は第二本体嵌合部に押されて内側に逃げようとする一方、逆に第二本体嵌合部は蓋嵌合部に押されて外側に変形して逃げようとする。しかしながら、第二本体嵌合部の外側には第一容器本体の第一本体嵌合部が位置しているので、第二本体嵌合部が第一本体嵌合部によって外側から支えられることになって第二本体嵌合部の外側への変形、拡開が防止される。従って、第二本体嵌合部が蓋嵌合部に対して緩みにくくなり、第二本体嵌合部と蓋嵌合部との間の嵌合状態が確実に維持される。また、第一容器本体の第一本体嵌合部の内側に第二容器本体の第二本体嵌合部が嵌合することで、第一本体嵌合部は第二本体嵌合部に押されて外側に変形して逃げようとする一方、逆に、第二本体嵌合部は第一本体嵌合部に押されて内側に変形して逃げようとする。しかしながら、第二本体嵌合部の内側には蓋体の蓋嵌合部が位置しているので、第二本体嵌合部が蓋嵌合部によって内側から支えられることになって第二本体嵌合部の内側への変形が防止される。従って、第二本体嵌合部が第一本体嵌合部に対して緩みにくくなり、第二本体嵌合部と第一本体嵌合部との間の嵌合状態が確実に維持される。このように、第一本体嵌合部と蓋嵌合部が第二本体嵌合部を挟んで内外方向に押し合う関係になるので、第一本体嵌合部と第二本体嵌合部との間、及び、第二本体嵌合部と蓋嵌合部との間の嵌合状態が外れにくい。
【０００９】
特に、蓋体には、電子レンジで加熱した際に第二容器本体内で発生する蒸気を外部に逃がすための蒸気排出口が設けられ、第二容器本体には、該第二容器本体の底面部よりも高い位置に、電子レンジで加熱した際に第一容器本体内で発生する蒸気を第二容器本体内に逃がすための連通口が設けられていることが好ましい。該構成によれば、第二容器本体に連通口が設けられているので、電子レンジによる加熱時に第一容器本体内で発生した蒸気は、第二容器本体の連通口を介して第一容器本体内から第二容器本体内へと移動することになる。更に、蓋体には蒸気排出口が設けられているので、第二容器本体内の蒸気は蓋体の蒸気排出口から容器外部へと排出されることになる。従って、電子レンジによる加熱時における過度の内圧上昇を防止することができ、加熱時に食品が噴き出すということも防止することができる。しかも、第二容器本体の連通口は、食品を載置する部分である底面部ではなくそれよりも高い位置に設けられているので、水分を含む食品であっても第二容器本体の底面部に載置して収容することができる。尚、蒸気排出口や連通口は、孔や切り込み等、予め開口状態とされたものであってもよいし、加熱前の通常状態では開口しておらず、電子レンジによる加熱時の内圧上昇によって開口状態となる構造のものであってもよい。ラベルを別途貼着して閉口状態とした構成であってもよく、その場合、加熱前に使用者がラベルを剥離して開口させる構成であってもよいし、電子レンジによる加熱によって自動的にラベルが剥離する構成やラベルの一部が連通する構成等であってよい。
【００１０】
また、第一容器本体は、耐熱性の発泡素材から構成されていることが好ましい。発泡素材であると断熱性に優れているので、熱い食品が入っている状態の第一容器本体を手で持っても熱が手に伝わりにくく、従って第一容器本体を手で持ちやすい。例えば、電子レンジで加熱した場合に、第一容器本体を手で持っても食品の熱が手に伝わりにくく、第一容器本体を手で持ちやすい。
【発明の効果】
【００１１】
以上のように、第一容器本体の第一本体嵌合部の内面に第二容器本体の第二本体嵌合部の外面が嵌合し、第二容器本体の第二本体嵌合部の内面に蓋体の蓋嵌合部の外面が嵌合するので、第一容器本体と第二容器本体との間、及び、第二容器本体と蓋体との間で嵌合が不意に外れにくい。
【図面の簡単な説明】
【００１２】
【図１】本発明の一実施形態における包装用容器の分離状態（開封状態）を示す斜視図。
【図２】同包装用容器の合体状態（包装状態）を示す斜視図。
【図３】同包装用容器の第二容器本体と蓋体を示す正面図。
【図４】同包装用容器の第二容器本体に蓋体を装着した状態及び第一容器本体を示す正面図。
【図５】同包装用容器の合体状態を示す正面図。
【図６】同包装用容器の分離状態を示す要部断面図。
【図７】同包装用容器の合体状態を示す要部断面図。
【図８】図７の要部拡大図。
【図９】本発明の他の実施形態における包装用容器の分離状態を示す斜視図。
【図１０】同包装用容器の第二容器本体の要部断面図。
【発明を実施するための形態】
【００１３】
以下、本発明の一実施形態に係る包装用容器について図１〜図８を参酌しつつ説明する。図１〜図８に示す包装用容器は、種々の内容物を収容することができるものであって、内容物としては特に食品（食材）が好ましい。また、内容物、特には食品を上下に分離した状態で収容して販売する用途に適しており、同種の食品を上下に分離して収容してもよいが、特には異なる種類の食品を上下に分離して収容することが好ましい。
【００１４】
包装用容器は、合成樹脂製シートからなる上面開口の第一容器本体１及び第二容器本体３と第二容器本体３の開口部を閉塞するための蓋体５とを備えている。これらは真空成形や圧空成形等の各種の熱成形（シート成形）によって形成されている。第一容器本体１には第一の食品を収容することができ、第二容器本体３には第一の食品とは異なる種類の第二の食品を収容することができる。例えば、カットフルーツ等の各種の果物や野菜、サラダ、ハム等を収容したり、ソースやドレッシング等を袋に入れて密封したものを収容したり、シチューやスープ等を収容したりすることができ、特に、密封性が高い容器であることから水分や液体を含む食品、特に水分や液体の多い食品を収容するのに適している。尚、第一容器本体１に収容可能な容積と第二容器本体３に収容可能な容積は同じであってもよいが、第一容器本体１の容積の方が大きいことが好ましい。
【００１５】
包装用容器の平面視における形状は任意であって、多角形の他、丸形や楕円形、小判形、長円形等であってもよい。また、多角形の場合において、各辺部は、直線状であってもよいし、外側に弧状に膨出する構成であってよい。各角部は円弧状であってよく、即ち角丸形状であってよい。以下、第一容器本体１、第二容器本体３、蓋体５の順に、具体的な構成の一例について説明する。
【００１６】
＜第一容器本体１＞
第一容器本体１は、底面部１０と側壁部とフランジ部とを備えている。図１のように第一容器本体１は、平面視方形状であって具体的には正方形状である。底面部１０は平面視正方形状であって、その周縁から側壁部が上方に向けて全体として拡開しつつ立ち上がっている。側壁部も平面視正方形状であるので、側壁部は正方形の四つの辺部に対応した四つの面部を有している。
【００１７】
側壁部の上端部に第一本体嵌合部１４が形成されている。即ち、側壁部は、底面部１０の周縁から上方に向けて拡開しつつ延びていて側壁部の大部分を占める側壁主部１１と、該側壁主部１１の上側に外側に拡がる段差部を介して延設された第一本体嵌合部１４とを備えている。尚、段差部は水平に延びる水平面部１２を有していることが好ましい。段差部と第一本体嵌合部１４との境界部分には下部面取り部１３を設けることが好ましい。該下部面取り部１３は上下方向に湾曲した湾曲面とすることができる。側壁部とフランジ部との境界部分、即ち、第一本体嵌合部１４とフランジ部との境界部分には上部面取り部１５を設けることが好ましい。該上部面取り部１５は、上方に向けて拡開するテーパ形状の傾斜面であることが好ましい。
【００１８】
第一本体嵌合部１４は、下側に向かう程、徐々に拡開していく逆テーパ状であって、いわゆる内嵌合部として構成されている。即ち、第一本体嵌合部１４は、上方に向けて徐々に内側（容器中心側）に向かう傾斜面となっている。第一容器本体１に上側から第二容器本体３が装着されて第一容器本体１と第二容器本体３とが合体した状態において、第一本体嵌合部１４の内面には、後述する第二容器本体３の第二本体嵌合部３４の外面が嵌合して互いに面接触する。
【００１９】
上部面取り部１５は、第一本体嵌合部１４とは逆に上方に向けて徐々に外側に向かう傾斜面となっており、第一本体嵌合部１４の上側（第一容器本体１の開口縁部）に上部面取り部１５が形成されることにより、第二容器本体３の第二本体嵌合部３４が第一容器本体１の第一本体嵌合部１４にスムーズに入り込んで嵌合でき、その意味において上部面取り部１５は、第二容器本体３の第二本体嵌合部３４を第一容器本体１の第一本体嵌合部１４に誘導するための誘導部として機能する。
【００２０】
フランジ部は、側壁部の上端から外側に向けて延設されている。該フランジ部は、全周に亘って形成されている。フランジ部の形状は任意であるが、水平に延びる水平面部１６を有していることが好ましい。フランジ部は、例えば、側壁部の上端から外側に向けて水平に延びる水平面部１６と、該水平面部１６の外縁から下方に延びる、具体的には斜め下方に延びるスカート部１７とを備える。フランジ部の水平面部１６は全周に亘って略一定幅に形成されることが好ましい。また、スカート部１７の外縁には外側に向けて例えば水平又は若干下方に延びる縁取り部１８を形成することが好ましい。このようにフランジ部の外縁に縁取り部１８を形成した場合にはその縁取り部１８が第一容器本体１の外縁となって平面視において最も外側に位置する部分となる。
【００２１】
＜第二容器本体３＞
第二容器本体３は、底面部３０と側壁部とフランジ部とを備えている。図１のように第二容器本体３の平面視における形状は第一容器本体１のそれに対応したものであって、上述のように第一容器本体１が平面視正方形状である場合にはそれに対応して第二容器本体３も平面視正方形状であり、従って、底面部３０も平面視正方形状である。第二容器本体３は第一容器本体１の開口部を覆うように第一容器本体１に装着される。従って、第二容器本体３は第一容器本体１の開口部を閉塞する機能を有している。
【００２２】
第二容器本体３の側壁部は、第一容器本体１の側壁部と同様に、底面部３０の周縁から上方に向けて全体として拡開しつつ立ち上がっている。側壁部も平面視正方形状であるので、側壁部は正方形の四つの辺部に対応した四つの面部を有している。側壁部の上端部に第二本体嵌合部３４が形成されている。即ち、側壁部は、底面部３０の周縁から上方に向けて拡開しつつ延びていて側壁部の主要部分を占める側壁主部３１と、該側壁主部３１の上側に外側に拡がる段差部を介して延設された第二本体嵌合部３４とを備えている。尚、側壁主部３１の形状は種々であってよく、図６〜図８のように段差部や傾斜面を有するものの他、図６や図７に二点鎖線で示しているように側壁主部３１の上下方向の全長に亘って上側に向けて拡開するテーパ形状としてもよい。また、側壁主部３１の上下方向の寸法は任意であるが、第二本体嵌合部３４の上下方向の寸法よりも大きいことが好ましいが、互いに等しかったり、第二本体嵌合部３４より小さくてもよい。尚、第二容器本体３の側壁主部３１は第一容器本体１の側壁主部１１よりも上下方向の寸法（全高）が小さい。図２、図５のように第二容器本体３を第一容器本体１に装着した状態では、第二容器本体３の側壁部の全体が第一容器本体１内に入り込む。尚、側壁部の段差部は水平に延びる水平面部３２を有していることが好ましい。側壁部の段差部と第二本体嵌合部３４との境界部分には下部面取り部３３を設けることが好ましい。該下部面取り部３３は上方に向けて拡開するテーパ形状の傾斜面とすることができる。側壁部とフランジ部との境界部分、即ち、第二本体嵌合部３４とフランジ部との境界部分には上部面取り部３５を設けることが好ましい。該上部面取り部３５は、上方に向けて拡開するテーパ形状の傾斜面とすることが好ましい。
【００２３】
第二本体嵌合部３４は、下側に向かう程、徐々に拡開していく逆テーパ状であって、いわゆる内嵌合部として構成されている。即ち、第二本体嵌合部３４は、上方に向けて徐々に内側（容器中心側）に向かう傾斜面となっている。第一容器本体１に上側から第二容器本体３が装着された状態において、第一本体嵌合部１４の内面に第二本体嵌合部３４の外面が嵌合して面接触する。従って、第二本体嵌合部３４の上下方向の寸法は、少なくとも第二本体嵌合部３４の一部が第一本体嵌合部１４の内側に重なり合って互いに面接触することができる程度の寸法とされる。好ましくは、第二本体嵌合部３４の大部分が第一本体嵌合部１４の内側に重なり合って面接触する。また、第二容器本体３に上側から蓋体５が装着されて第二容器本体３と蓋体５が合体した状態、即ち閉蓋状態において、第二本体嵌合部３４の内面には、後述する蓋体５の蓋嵌合部５４の外面が嵌合して互いに面接触する。
【００２４】
上部面取り部３５は、第二本体嵌合部３４とは逆に上方に向けて徐々に外側に向かう傾斜面となっており、第二容器本体３の開口縁部に上部面取り部３５が形成されることにより、蓋体５の蓋嵌合部５４が第二容器本体３の第二本体嵌合部３４にスムーズに入り込んで嵌合でき、その意味において上部面取り部３５は、蓋体５の蓋嵌合部５４を第二容器本体３の第二本体嵌合部３４に誘導するための誘導部として機能する。
【００２５】
第二容器本体３のフランジ部は、第一容器本体１のフランジ部と同様に、側壁部の上端から外側に向けて延設されている。該フランジ部は、全周に亘って形成されている。フランジ部の形状は任意であるが、水平に延びる水平面部３２を有していることが好ましい。フランジ部は、例えば、側壁部の上端から外側に向けて水平に延びる水平面部３２と、該水平面部３２の外縁から下方に、具体的には斜め下方に延びるスカート部３７とを備える。フランジ部の水平面部３２は全周に亘って略一定幅に形成されることが好ましい。第二容器本体３のフランジ部の水平面部３２の内外方向の寸法即ち幅は、第一容器本体１のフランジ部の水平面部１２における幅よりも大きくて広い。また、スカート部３７の外縁には外側に向けて例えば水平又は若干下方に延びる縁取り部３８を形成することが好ましい。このようにフランジ部に縁取り部３８を形成した場合にはその縁取り部３８が第二容器本体３１の外縁となって平面視において最も外側に位置する部分となる。尚、第二容器本体３のフランジ部の縁取り部３８の所定箇所には摘み部４０を設けることが好ましく、具体的には少なくとも一つの角部に摘み部４０を設けることが好ましく、特に、対向する二つの角部にそれぞれ摘み部４０を設けることが好ましく、更には全ての角部にそれぞれ摘み部４０を設けることが好ましい。
【００２６】
＜蓋体５＞
蓋体５は、天面部５０と側壁部とフランジ部とを備えている。図１のように蓋体５は第二容器本体３の開口部を閉塞するものであるため、蓋体５の平面視における形状は第二容器本体３１のそれに対応したものであって、上述のように第二容器本体３が平面視正方形状である場合にはそれに対応して蓋体５も平面視正方形状である。従って、蓋体５の天面部５０、側壁部及びフランジ部は何れも平面視正方形状である。天面部５０は全領域に亘って平坦であってもよいが、周縁部に一段突出した突条５０ａを形状してよく、その突条５０ａを全周に亘って形成してよい。尚、天面部５０には、包装用容器を上下に積み重ねた際の横方向の位置ずれを防止するためのズレ防止用凸部を例えば四隅等の隅部に設けてもよい。
【００２７】
側壁部は、天面部５０の周縁から下方に向けて拡開しつつ延びている側壁主部５１と、該側壁主部５１の下端から外側に向けて水平に延びる水平面部５２と、該水平面部５２の外縁から上側に向けて延びる蓋嵌合部５４とを備えている。側壁主部５１は本実施形態では段差部を有する上下二段の構成となっているが、段差部のない一段構成であってもよく、種々の形状であってよい。天面部５０は水平面部５２よりも高い位置にあり、これにより第二容器本体３に収容できる容積を拡大でき、より詳細には、フランジ部よりも高い位置にあることが好ましい。水平面部５２と蓋嵌合部５４との境界部分には下部面取り部５３を設けることが好ましい。該下部面取り部５３は上方に向けて拡開するテーパ形状の傾斜面とすることができる。側壁部とフランジ部との境界部分、即ち、蓋嵌合部５４とフランジ部との境界部分には上部面取り部５５を設けることが好ましい。該上部面取り部５５は、上下方向に湾曲した湾曲面とすることができる。
【００２８】
蓋嵌合部５４は、下側に向かう程、徐々に拡開していく逆テーパ状であって、いわゆる内嵌合部として構成されている。即ち、蓋嵌合部５４は、上方に向けて徐々に内側（容器中心側）に向かう傾斜面となっている。第二容器本体３に上側から蓋体５が装着された状態において、第二本体嵌合部３４の内面に蓋嵌合部５４の外面が嵌合して面接触する。従って、蓋嵌合部５４の上下方向の寸法は、少なくとも蓋嵌合部５４の一部が第二本体嵌合部３４の内側に重なり合って互いに面接触することができる程度の寸法とされる。好ましくは、蓋嵌合部５４の大部分が第二本体嵌合部３４の内側に重なり合って面接触する。
【００２９】
蓋体５のフランジ部は、蓋嵌合部５４の上端から外側に向けて延設されている。該フランジ部は、全周に亘って形成されている。フランジ部の形状は任意であるが、水平に延びる水平面部５２を有していることが好ましい。フランジ部は、例えば、蓋嵌合部５４の上端から外側に向けて水平に延びる水平面部５２と、該水平面部５２の外縁から下方に、具体的には斜め下方に延びるスカート部５７とを備える。水平面部５２は全周に亘って略一定幅に形成されることが好ましい。蓋体５のフランジ部の水平面部５２の内外方向の寸法即ち幅は、第二容器本体３のフランジ部の水平面部３２における幅よりも大きくて広い。また、スカート部５７の外縁には外側に向けて例えば水平又は若干下方に延びる縁取り部５８を形成することが好ましい。このようにフランジ部に縁取り部５８を形成した場合にはその縁取り部５８が蓋体５の外縁となって平面視において最も外側に位置する部分となる。
【００３０】
尚、蓋体５のフランジ部の縁取り部５８の所定箇所には摘み部６０を設けることが好ましく、具体的には少なくとも一つの角部に摘み部６０を設けることが好ましく、特に、対向する二つの角部にそれぞれ摘み部６０を設けることが好ましく、更には全ての角部にそれぞれ摘み部６０を設けることが好ましい。尚、第二容器本体３の摘み部４０と蓋体５の摘み部６０は、平面視において少なくとも一部が左右に位置ずれするように配置されることが好ましい。第二容器本体３の摘み部４０と蓋体５の摘み部６０が平面視において互いに少なくとも一部が左右に位置ずれしていると、一方の手で蓋体５の摘み部６０を摘み、他方の手で第二容器本体３の摘み部４０を摘んで、容易に開封できる。
【００３１】
第一容器本体１はいわゆる深型の容器であって、第二容器本体３はいわゆる浅型の容器であることが好ましい。ここで、深型の容器とは、深絞り状の容器、カップ型の容器であって、開口部の最大径に対して深さがその３／４以上である容器であり、好ましくは、開口部の最大径よりも深さの方が大きい容器であって、浅型の容器とは、皿状の容器であって、開口部の最大径に対して深さがその半分以下となる容器である。尚、開口部の最大径とは、側壁部の上端内面における最大の開口径であって、開口部が円形である場合にはその直径であり、開口部が多角形である場合には開口部の全周（側壁部の上端内面の全周）のうち平面視において最も離れた二箇所間の離間距離である。何れにしても第一容器本体１は第二容器本体３よりも深い容器であり、逆に言えば、第二容器本体３は、第一容器本体１よりも浅い容器であって、第一容器本体１に装着した際にはいわゆる中皿として機能する。尚、第一容器本体１が深型であると、そのフランジ部の外縁の所定箇所に摘み部を設けなくても済み、第一容器本体１の側壁部を把持した状態で第二容器本体３を第一容器本体１から取り外すことができる。合体状態において第二容器本体３の側壁部は第一容器本体１内に入り込むので、第二容器本体３のフランジ部の外縁には摘み部４０を形成することが好ましい。同様に、蓋体５の天面部５０がそれほど高くない形状であって閉蓋状態において蓋体５の側壁部の大部分が第二容器本体３内に入り込む場合には、蓋体５のフランジ部の外縁にも摘み部６０を形成すると開蓋しやすい。
【００３２】
第一容器本体１及び第二容器本体３の底面部１０，３０には、各種の脚部を設けてよく、例えば底面部３０の周縁部に周回する脚部を設けたり複数の脚部を間隔をあけて配置したりしてよい。また、脚部の数も、容器の大きさ、形状によって適宜設定してよい。例えば、方形容器では、脚部は角部に四つ設けてよく、その場合、角部の脚部は底面視において略Ｌ字状とすると強度を向上することができる。
【００３３】
尚、第一容器本体１や第二容器本体３において、底面部３０や側壁部には各種のリブを形成してよい。側壁部の各角部に縦方向に延びる縦リブを形成することが好ましい。特に、深い容器である第一容器本体１にはその角部に縦リブを形成することが有効である。また、底面部３０から側壁部にかけて連続する縦リブを形成することも好ましい。尚、側壁部に縦リブを形成する場合、側壁主部１１，３１のみに形成することが好ましい。蓋体５についても同様であって、天面部５０や側壁部に各種のリブを形成してよい。
【００３４】
第一容器本体１や第二容器本体３、蓋体５には、それぞれの部材同士を積み重ねた際のブロッキングを防止するためのブロッキング防止用凸部１９，３９，５９を周方向に位置をずらせながら配置することが好ましい。第一容器本体１や第二容器本体３にブロッキング防止用凸部１９，３９を形成する場合、側壁主部１１，３１の上端部外面に設けることが好ましい。蓋体５にブロッキング防止用凸部５９を形成する場合、側壁主部５１の下端部外面に設けることが好ましい。
【００３５】
上述のように第一容器本体１、第二容器本体３及び蓋体５の各フランジ部の外縁には全周に亘って連続した略水平の縁取り部１８，３８，５８を設けることが好ましい。この縁取り部１８，３８，５８の内外方向の全幅のうち外側領域には極細の多数の凹凸を形成することが好ましく、補強効果が得られると共に指の切創が防止される。この凹凸は、正面から拡大して見たときに波形状とされ、多数の山頂と谷底の延びる方向が幅方向（内外方向）であって、角部においては角部と容器中心とを結ぶ方向（放射方向）に平行に形成されることが好ましい。また、この凹凸は、例えば、平目ローレット目や綾目ローレット目のようなローレット目によって形成されてよく、特には、滑りにくいようにするために綾目ローレット目によって形成することが好ましい。
【００３６】
第一容器本体１や第二容器本体３や蓋体５は、各種の合成樹脂製シートから構成されている。第一容器本体１や第二容器本体３や蓋体５を構成する合成樹脂製シートは、同種のものであってもよいし、異種のものであってもよい。合成樹脂製シートは、例えばポリエチレンテレフタレート、ポリスチレン、ポリプロピレンやポリエチレン等のポリオレフィン等、各種合成樹脂シート、これらのシート素材として無機物を充填したシート、これらをシート素材として発泡させた発泡シート、更には、これらのシートを延伸させた延伸シートなどを使用でき、例えば、ポリスチレンとして耐熱性に優れた耐熱性のスチレン系樹脂を使用した耐熱性発泡スチレン系樹脂シート、耐熱性に優れたポリプロピレンに無機物を充填したシート、ポリエチレンテレフタレート・ポリスチレン・ポリプロピレン・ポリエチレンなどのシートを延伸して耐熱性を向上させた耐熱シートを使用できる。尚、透明性に優れたシートを使用することも好ましく、蓋体５には特に好ましい。尚、電子レンジ用とする場合には電子レンジによる加熱に耐え得るように耐熱性のシートを用いる。特に、第一容器本体１には耐熱性の発泡シートを用いることが好ましい。発泡シートを用いると断熱性に優れているので、熱い食品が入っていてもその熱が手に伝わりにくく、持ちやすい。例えば、電子レンジで加熱した場合に、第一容器本体１を手で持っても食品の熱が手に伝わりにくく持ちやすいという利点がある。
【００３７】
＜合体状態＞
第一容器本体１に第二容器本体３が上側から装着され、また、第二容器本体３には上側から蓋体５が装着される。第一容器本体１、第二容器本体３及び蓋体５の合体作業は、どのような順で行ってもよい。例えば、第一容器本体１に第二容器本体３を装着し、その後、第二容器本体３に蓋体５を装着してもよいが、先に第二容器本体３に蓋体５を装着し、その後、蓋体５が装着された第二容器本体３を第一容器本体１に装着することが好ましい。このように先に第二容器本体３に蓋体５を装着すると、第二容器本体３に食品を収容し蓋体５を装着して第二容器本体３を閉蓋状態としておく一方、その閉蓋状態の第二容器本体３を、別途食品を収容した状態の第一容器本体１に装着することができる。例えば、スーパーマーケットのバックヤードやアウトパックメーカーで、これらの第一容器本体１と第二容器本体３にそれぞれ異なる食材を充填する準備作業に際して、第一容器本体１と第二容器本体３のそれぞれに別ラインで別食材を充填し、その後、第一容器本体１と第二容器本体３とを組み合わせするという作業を行うことができるので、パック詰め作業を効率的に行うことができる。
【００３８】
第一容器本体１に第二容器本体３が装着されることによって第一容器本体１の開口部が閉塞され、また、第二容器本体３に蓋体５が装着されることによって第二容器本体３の開口部が閉塞される。そして、第一容器本体１と第二容器本体３とによって第一の収容空間が区画形成され、また、第二容器本体３と蓋体５とによって第二の収容空間が区画形成される。第一の収容空間と第二の収容空間は第二容器本体３によって区画されているので、第一の収容空間と第二の収容空間に異なる種類の食品を分離した状態で収容できる。
【００３９】
尚、第一の収容空間は第二の収容空間よりも大きいことが好ましい。即ち、第二容器本体３は第一容器本体１よりも浅い容器であるので、第二容器本体３の底面部３０は第一容器本体１の底面部１０から上方に離間していて両者の間には食品を収容するのに十分な空間が確保されると共に、第一容器本体１に収容された食品に第二容器本体３の底面部３０が接触しない程度に十分な空間が確保される。第一の収容空間の高さ（上下方向の寸法）は、第一容器本体１の全体の深さの半分以上の高さを有することが好ましく、第二容器本体３の深さよりも大きいことが好ましい。
【００４０】
そして、第一容器本体１に第二容器本体３が装着されて第二容器本体３に蓋体５が装着された状態では、第二容器本体３の第二本体嵌合部３４が第一容器本体１の第一本体嵌合部１４の内側に嵌合している。また、蓋体５の蓋嵌合部５４が第二容器本体３の第二本体嵌合部３４の内側に嵌合している。即ち、第二本体嵌合部３４は、第一本体嵌合部１４に対しては雄側として機能するが、逆に、蓋体５に対しては雌側として機能する。より詳細には、図８のように、第一本体嵌合部１４の内面に第二本体嵌合部３４の外面が面接触して第一本体嵌合部１４が第二本体嵌合部３４によって密封される。即ち、第一容器本体１が第二容器本体３によって密封される。また、第二本体嵌合部３４の内面には蓋嵌合部５４の外面が面接触して第二本体嵌合部３４が蓋嵌合部５４によって密封される。即ち、第二容器本体３が蓋体５によって密封される。第二本体嵌合部３４の外側には第一本体嵌合部１４が位置し、第二本体嵌合部３４の内側には蓋嵌合部５４が位置し、第一本体嵌合部１４と第二本体嵌合部３４と蓋嵌合部５４は内外方向に重なり合って二重の内嵌合構造となる。第二本体嵌合部３４は第一本体嵌合部１４と蓋嵌合部５４とによって内外方向に狭持された状態となり、第二本体嵌合部３４は、第一本体嵌合部１４によって外側から容器内側に向けて押圧されると共に、蓋嵌合部５４によって内側から容器外側に向けて押圧される。
【００４１】
また、合体状態において、第一容器本体１のフランジ部に第二容器本体３のフランジ部が上側から当接し、第二容器本体３のフランジ部は第一容器本体１のフランジ部によって下側から支持される。これによって第一容器本体１に対する第二容器本体３の上下方向の位置（高さ）が定まり、第二容器本体３のそれ以上の下降が阻止されて安定した装着状態が得られる。第一容器本体１に第二容器本体３を上から押し込む際に、第一容器本体１のフランジ部に第二容器本体３のフランジ部が当接するまで押し込めばよいので、装着作業が容易である。同様に、第二容器本体３のフランジ部には蓋体５のフランジ部が上側から当接し、蓋体５のフランジ部は第二容器本体３のフランジ部によって下側から支持される。これによって第二容器本体３に対する蓋体５の上下方向の位置（高さ）が定まり、蓋体５のそれ以上の下降が阻止されて装着状態（閉蓋状態）が安定する。第二容器本体３に蓋体５を上から押し込むようにして閉蓋する際に、第二容器本体３のフランジ部に蓋体５のフランジ部が当接するまで押し込めばよいので、閉蓋作業が容易である。
【００４２】
より詳細には、第一容器本体１のフランジ部の水平面部１２に第二容器本体３のフランジ部の水平面部３２が当接し、更に、第二容器本体３のフランジ部の水平面部３２に蓋体５のフランジ部の水平面部５２が当接する。即ち、第一容器本体１のフランジ部の水平面部１２と第二容器本体３のフランジ部の水平面部３２と蓋体５のフランジ部の水平面部５２とが上下方向に重なり合って三層構造となる。
【００４３】
また、第一容器本体１におけるフランジ部のスカート部１７の外側に第二容器本体３におけるフランジ部のスカート部３７が位置し、第二容器本体３におけるフランジ部のスカート部３７の外側に蓋体５におけるフランジ部のスカート部５７が位置する。尚、第二容器本体３のフランジ部の外縁である縁取り部３８は、第一容器本体１のフランジ部の外縁である縁取り部１８から上方に所定高さ離れた状態にある。一方、蓋体５のフランジ部の外縁である縁取り部５８は、第二容器本体３のフランジ部の縁取り部３８の上側に当接あるいは若干の隙間を介して対峙した状態にあって、何れにしても、第二容器本体３のフランジ部の縁取り部３８と蓋体５のフランジ部の縁取り部５８との間の離間距離は、第一容器本体１のフランジ部の縁取り部１８と第二容器本体３のフランジ部の縁取り部３８との間の離間距離よりも小さい。
【００４４】
また、図８に実線で示すように、蓋体５の縁取り部５８と第二容器本体３の縁取り部３８は、摘み部６０，４０以外の部分においては、容器内外方向の位置が略同じであるが、何れにしても、蓋体５の縁取り部５８と第二容器本体３の縁取り部３８は、第一容器本体１の縁取り部１８よりも容器内側に位置しているか、あるいは、内外方向において略同じ位置に位置している。そして、蓋体５の摘み部６０と第二容器本体３の摘み部４０は、図８に二点鎖線で示しているように、何れも第一容器本体１の縁取り部３８よりも外側にはみ出して位置する。そのため、蓋体５の摘み部６０と第二容器本体３の摘み部４０をセットで摘んで上方に引き上げることにより、蓋体５と第二容器本体３をセットで第一容器本体１から取り外すことができる。即ち、第二容器本体３を閉蓋状態のままで第一容器本体１から容易に取り外すことができる。尚、第一容器本体１の縁取り部１８に対する蓋体５の摘み部６０の容器外側へのはみ出し量と第二容器本体３の摘み部４０の容器外側へのはみ出し量は同じであってもよいし、異なっていてもよい。何れにしても、蓋体５の摘み部６０と第二容器本体３の摘み部４０とが共に第一容器本体１の外縁である縁取り部１８に対して容器外側に所定量はみ出していることにより、蓋体５の摘み部６０と第二容器本体３の摘み部４０をセットで摘んで持ち上げることができる。尚、第一容器本体１、第二容器本体３及び蓋体５が角丸形状であって第二容器本体３と蓋体５の角部に摘み部４０，６０が形成されているので、摘み部４０，６０は第一容器本体１の外縁から外側に突出していても、包装用容器を縦横に陳列した場合おいて摘み部４０，６０が隣の包装用容器と干渉せずに済み、包装用容器をスペース効率良く陳列展示できる。
【００４５】
また、第一容器本体１のフランジ部と第二容器本体３のフランジ部と蓋体５のフランジ部が互いに当接する一方、第一容器本体１の側壁部における段差部の水平面部１２と第二容器本体３の側壁部における段差部の水平面部３２と蓋体５の側壁部における水平面部２は互いに当接せず離間した状態となる。但し、第一容器本体１のフランジ部と第二容器本体３のフランジ部と蓋体５のフランジ部が互いに当接せずに、第一容器本体１の側壁部における段差部の水平面部１２の上に第二容器本体３の側壁部における段差部の水平面部３２が当接し、第二容器本体３の側壁部における段差部の水平面部３２の上に蓋体５の側壁部における水平面部５２が当接してもよい。また、第一容器本体１のフランジ部と第二容器本体３のフランジ部と蓋体５のフランジ部が互いに当接すると共に、第一容器本体１の側壁部における段差部の水平面部１２の上に第二容器本体３の側壁部における段差部の水平面部３２が当接し、第二容器本体３の側壁部における段差部の水平面部３２の上に蓋体５の側壁部における水平面部５２が当接してもよい。このように、第二容器本体３が第一容器本体１に上側から当接する箇所は、フランジ部であってもよいし、側壁部の段差部であってもよく、同様に、蓋体５が第二容器本体３に上側から当接する箇所は、フランジ部であってもよいし、側壁部の水平面部５２であってもよく、これらの種々の組み合わせであってもよい。
【００４６】
以上のように構成された包装用容器は、第一容器本体１と第二容器本体３にそれぞれ異なる種類の食品を収容することができ、食品を分離状態で収容して展示販売できる。従って、異なる種類の食品同士の接触が防止されて、例えば一方の食品から他方の食品への色移りを防止することができ、食品の良好な見栄えを長時間維持できる。例えば、種類の異なるフルーツ盛り合わせを包装用容器に収容して展示、販売する場合、第一容器本体１にカットパインを入れ、第二容器本体３にはカットイチゴを収容して展示、販売したりするが、そのような場合に、カットイチゴの赤色がカットパインに色移りして商品価値の低下を招くということがなく、フルーツ盛り合わせの商品価値を長時間キープできる。特に、蓋体５のみならず第一容器本体１や第二容器本体３が透明性に優れたＡＰＥＴやＯＰＳ等のシートから形成されている場合には、収容されている食材の種類等を購買者が容易に判別でき、商品価値を顧客に訴求できる。
【００４７】
また、包装状態において第一容器本体１の第一本体嵌合部１４の内面に第二容器本体３の第二本体嵌合部３４の外面が嵌合し、且つ、第二容器本体３の第二本体嵌合部３４の内面に蓋体５の蓋嵌合部５４の外面が嵌合するので、第一本体嵌合部１４と第二本体嵌合部３４との間、及び、第二本体嵌合部３４と蓋嵌合部５４との間の嵌合状態が強固に維持されることになり、第一容器本体１と第二容器本体３が分離したり、蓋体５が外れたりすることが防止される。また、第一本体嵌合部１４と第二本体嵌合部３４との間のシール性、及び、第二本体嵌合部３４と蓋嵌合部５４との間のシール性が高い状態で保持されるので、第一本体嵌合部１４と第二本体嵌合部３４との間や第二本体嵌合部３４と蓋嵌合部５４との間から食品の水分等の液体が外部に漏れ出すことが防止される。特に、第一本体嵌合部１４と第二本体嵌合部３４との嵌合と、第二本体嵌合部３４と蓋嵌合部５４との嵌合とが、互いに影響を及ぼし合って補完し合う関係となるため、嵌合の外れが防止され、また、シール性も維持される。
【００４８】
上述のようなフルーツ盛り合わせの商品の場合、購入者が購入して持ち帰る際に、包装用容器が二重の内嵌合構造となっているので、カットフルーツからのドリップが容器の外部に漏れ出すことがほとんどない。このような漏れ出し防止効果は、包装用容器の形状が円形状のみならず角形状であっても同様に得られ、優れたシール性が発揮される。また、購入者が、収容された食材を食する際にも、第一容器本体１と蓋付の第二容器本体３とを容易に分離することができ、それぞれに収容された食材を一緒に、あるいは、別々に自由な時間に食することができる。更に、そのように第一容器本体１と蓋付の第二容器本体３を分離した後においても、容易に再嵌合でき、再嵌合させて保存することもできる。蓋体５と第二容器本体３との間においても同様に容易に再嵌合できる。
【００４９】
尚、第一容器本体１、第二容器本体３、蓋体５の各フランジ部にスカート部１７，３７，５７を設けると、各フランジ部の剛性が高まる。そしてその結果、第一本体嵌合部１４と第二本体嵌合部３４と蓋嵌合部５４の嵌合状態もより一層確実に維持される。
【００５０】
＜他の実施形態＞
尚、開封することなく閉蓋状態のまま電子レンジで加熱調理する用途に適した構成としてもよい。一例としては、第一容器本体１にご飯を収容し、第二容器本体３には親子丼やカツ丼等における具材を収容しておくと、ご飯と具材とが分離された状態となる。そして、電子レンジ加熱後に具材をご飯の上に載せることで、具材がふやけたりすることなく、おいしく食べることができる。また、第一容器本体１に麺類を収容し、第二容器本体３にはそれに入れる天ぷらやチャーシュー等の具材を収容しておいても、前述と同様においしく食べることができる。尚、スープ類は必要に応じてゼラチンで固化させておいたものを収容することができる。
【００５１】
このように電子レンジ用とする場合には、包装用容器を構成している第一容器本体１、第二容器本体３及び蓋体５を耐熱性を有するシートから構成する。図９では、特に第一容器本体１が耐熱性を有する発泡シートから構成されている場合を示している。このように第一容器本体１を耐熱性の発泡シートから構成すると、電子レンジで加熱した後に第一容器本体１の側壁部を手で把持しても手に食品の熱が伝わりにくい。尚、発泡シートから形成する場合、第一容器本体１のフランジ部には上方に向けて湾曲形成された玉ぶち状部２０を設けてよい。
【００５２】
また、閉蓋状態のままで電子レンジで加熱調理すると食品から蒸気が出て内圧が上昇する。そのため蒸気を外部に排出するための構成が求められる。蒸気排出構造は種々あるが、例えばその一例を適用した包装用容器を図９及び図１０に示している。まず、蓋体５には、電子レンジによる加熱時に第二容器本体３内で発生する蒸気を容器外部に逃がすための蒸気排出口６１が設けられている。具体的には、蓋体５の天面部５０の所定箇所、例えば中央部に蒸気排出口６１が設けられている。蒸気排出口６１は予め開口している状態のものであってもよいし、加熱前は閉口状態にあって第二容器本体３は密封状態にあるが加熱によって自動的に開口状態となるものであってもよい。加熱によって自動的に開口する構成としては例えばラベルを貼着しておいてそのラベルが加熱時に剥離して開口する構成等がある。使用者が電子レンジに入れる前にラベルを剥して開口させる構成であってもよい。図９に示している構成は予め開口状態となっている形態の一つであって、蒸気排出口６１としての切り込みが天面部５０に形成されている。該切り込みの形状も任意であって、Ｕ字状やＶ字状、円弧状であってよく、図９には円弧状の切り込みを示している。このような切り込みを形成しておくと、切り込みによってその内側に区画形成された部分、例えば、円弧状の切り込みであれば円形の部分が開閉弁となって上下に開閉できる。従って、店頭での陳列販売時等、電子レンジによる加熱調理前の状態では、開閉弁が天面部５０に対してフラットのままであって異物混入を阻止する。そして、電子レンジによる加熱時には、第二容器本体３内の圧力上昇によって開閉弁が自動的に上昇して開き、第二容器本体３内の蒸気及び圧力が外部に排出される。あるいは、加熱前に使用者が開閉弁をその基端部で折り曲げる等して上方に開くようにしてもよい。尚、蒸気排出口６１の数は任意であって、一つであってもよいし、複数個設けてもよい。尚、蒸気排出口６１は、天面部５０の他、例えば、側壁主部５１や水平面部５２に設けられていてもよい。
【００５３】
また、第二容器本体３には、第二容器本体３内と第一容器本体１内とを連通するための連通口４３が設けられている。連通口４３を底面部３０に設けると、底面部３０に載置して収容する食品の種類に制約が生じる。そのためこの実施形態においては第二容器本体３の底面部３０よりも高い位置に連通口４３を設けている。具体的には、底面部３０から上方に膨出した膨出部４１が形成され、該膨出部４１の天面部４２に連通口４３が設けられている。該連通口４３も上述の蒸気排出口６１と同様に種々の構成であってよいが、この実施形態においては円形の孔とされている。膨出部４１の位置も種々であってよく、例えば、膨出部４１を底面部３０の中央部に膨出形成してもよいが、底面部３０に載置する食品の収容効率を高める観点から、底面部３０の周縁部（端部）に形成することが好ましい。また、膨出部４１は、側壁部から容器内側に離間する構成であってもよいが、側壁部から離間することなくそれと一体化した構成であることが好ましい。また、膨出部４１の天面部４２の高さは、底面部３０より高ければよいが、好ましくは側壁部の高さの半分以上の高さとする。但し、膨出部４１の高さは蓋体５と干渉しない程度とする。尚、膨出部４１の側面には各種のリブを形成してよい。このように第二容器本体３に連通口４３を形成することで、電子レンジによる加熱時に、第一容器本体１内で発生した蒸気は連通口４３を通って第二容器本体３内へとスムーズに移動できる。そして、蒸気は、上述したように蓋体５の蒸気排出口６１から外部へと排出される。
【００５４】
尚、第一本体嵌合部１４と第二本体嵌合部３４は、第一容器本体１の側壁部の上部特には上端部と第二容器本体３の側壁部の上部特には上端部にそれぞれ設けることが好ましい。また、第一本体嵌合部１４と第二本体嵌合部３４と蓋嵌合部５４はそれぞれの上下方向の大部分が内外に重なり合うことが好ましいが、上下方向の少なくとも一部が内外に重なり合うようにすると、嵌合状態が外れにくく、良好なシール性も得られる。即ち、第一本体嵌合部１４と第二本体嵌合部３４と蓋嵌合部５４の少なくとも一部が同じ高さであると、合体時に二重の内嵌合構造となって嵌合状態が外れにくくシール性もよい。
【００５５】
第一本体嵌合部１４や第二本体嵌合部３４、蓋嵌合部５４に、縦方向の凹溝を形成して内圧上昇を防止する構成としてもよい。第一容器本体１に第二容器本体３を嵌合する際や第二容器本体３に蓋体５を嵌合する際に、第一容器本体１や第二容器本体３内の圧力上昇が生じて、第一容器本体１や第二容器本体３が膨張して内嵌合が外れやすくなることを防止するために、第一本体嵌合部１４の内面や第二本体嵌合部３４の内面、外面、あるいは、蓋嵌合部５４の内面に、凹溝を形成してもよい。またレンジ加熱により発生した蒸気による内圧上昇を防止するために凹溝を形成してもよい。
【符号の説明】
【００５６】
１    第一容器本体
１０    底面部
１１    側壁主部
１２    水平面部
１３    下部面取り部
１４    第一本体嵌合部
１５    上部面取り部
１６    水平面部
１７    スカート部
１８    縁取り部
１９    ブロッキング防止用凸部
２０    玉ぶち状部
３    第二容器本体
３０    底面部
３１    側壁主部
３２    水平面部
３３    下部面取り部
３４    第二本体嵌合部
３５    上部面取り部
３６    水平面部
３７    スカート部
３８    縁取り部
３９    ブロッキング防止用凸部
４０    摘み部
４１    膨出部
４２    天面部
４３    連通口
５    蓋体
５０    天面部
５０ａ  突条
５１    側壁主部
５２    水平面部
５３    下部面取り部
５４    蓋嵌合部
５５    上部面取り部
５６    水平面部
５７    スカート部
５８    縁取り部
５９    ブロッキング防止用凸部
６０    摘み部
６１    蒸気排出口
【図１】
2017165422.tif 000003
【図２】
2017165422.tif 000004
【図３】
2017165422.tif 000005
【図４】
2017165422.tif 000006
【図５】
2017165422.tif 000007
【図６】
2017165422.tif 000008
【図７】
2017165422.tif 000009
【図８】
2017165422.tif 000010
【図９】
2017165422.tif 000011
【図１０】
2017165422.tif 000012
【手続補正書】
【提出日】平成29年2月1日(2017.2.1)
【手続補正１】
【補正対象書類名】特許請求の範囲
【補正対象項目名】請求項１
【補正方法】変更
【補正の内容】
【請求項１】
上面開口の第一容器本体と、該第一容器本体に上側から装着される上面開口の第二容器本体と、該第二容器本体に装着される蓋体とを備え、
第一容器本体は、下側に向けて拡開する逆テーパ状の第一本体嵌合部を側壁部に備え、第二容器本体は、下側に向けて拡開する逆テーパ状の第二本体嵌合部を側壁部に備え、蓋体は、下側に向けて拡開する逆テーパ状の蓋嵌合部を備えており、
第一容器本体と第二容器本体と蓋体とが合体した状態において、第二本体嵌合部の外面に第一本体嵌合部の内面が嵌合し、第二本体嵌合部の内面に蓋嵌合部の外面が嵌合して、第一本体嵌合部と第二本体嵌合部と蓋嵌合部は内外方向に重なり合って二重の内嵌合状態となることを特徴とする包装用容器。
【手続補正２】
【補正対象書類名】明細書
【補正対象項目名】０００５
【補正方法】変更
【補正の内容】
【０００５】
本発明は、上記課題を解決すべくなされたものであって、本発明に係る包装用容器は、上面開口の第一容器本体と、該第一容器本体に上側から装着される上面開口の第二容器本体と、該第二容器本体に装着される蓋体とを備え、第一容器本体は、下側に向けて拡開する逆テーパ状の第一本体嵌合部を側壁部に備え、第二容器本体は、下側に向けて拡開する逆テーパ状の第二本体嵌合部を側壁部に備え、蓋体は、下側に向けて拡開する逆テーパ状の蓋嵌合部を備えており、第一容器本体と第二容器本体と蓋体とが合体した状態において、第二本体嵌合部の外面に第一本体嵌合部の内面が嵌合し、第二本体嵌合部の内面に蓋嵌合部の外面が嵌合して、第一本体嵌合部と第二本体嵌合部と蓋嵌合部は内外方向に重なり合って二重の内嵌合状態となることを特徴とする。